(57)【要約】【課題】  プレゼンスサービスを用いることにより利便性を確保することができる交通機関運用情報配信システム、その方法、公共機関管理装置、情報配信装置、端末およびプログラムを提供する。【解決手段】  公共機関管理装置１０１は、利用者端末１０２に対して変化した運行情報をポータルサーバ１００に通知し、ポータルサーバ１００は、プレゼンティティとしての交通機関とそのプレゼンス情報と対応付けて登録されているウォッチャとしての利用者端末１０２の識別子に対して、プレゼンティティの変化を通知し、利用者端末１０２はその変化通知を受け取り表示する。【選択図】  図１
2006131026.tif 000002
【特許請求の範囲】
【請求項１】
利用者が用いる端末と、公共機関管理装置と、情報配信装置とがそれぞれネットワークを介して接続されている交通機関運用情報配信システムであって、
前記公共機関管理装置は、前記端末に対して交通機関の運行情報を公開すべく、前記ネットワークを介して前記情報配信装置に対して前記交通機関の識別情報と現在の運行情報の登録および／または削除要求を発行する登録削除要求手段と、
変化した運行情報を前記情報配信装置に通知するプレゼンス更新通知手段と、を備え、
前記情報配信装置は、前記交通機関をプレゼンティティとしてプレゼンス情報と対応付けてプレゼンスリストとして登録し、ウォッチャとしての前記端末の識別子を該当する前記交通機関と結び付けて登録するデータベースと、
前記端末から登録要求を受けた所望の交通機関に対応するプレゼンティティのウォッチャとして前記端末を前記データベースに登録するウォッチャ登録手段と、
前記変化した運行情報に基づいて前記データベースの前記プレゼンティティと対応付けて登録されている前記プレゼンス情報を更新する更新手段と、
変化した運行情報に基づいてウォッチャとして登録されている前記端末の識別子に対して、プレゼンティティの変化を通知する変化通知手段と、を備え、
前記端末は、前記ネットワークを介して前記情報配信装置にアクセスし、前記プレゼンスリストを取得するプレゼンスリスト取得手段と、
取得した前記プレゼンスリストから、利用者が運行情報の変化を知りたい前記所望の交通機関を選択し、前記ネットワークを介して前記情報配信装置に対してモニタ登録要求を発行するウォッチャリスト登録手段と、
前記端末の識別子を前記情報配信装置に対して送信する識別子送信手段と、
前記プレゼンティティの変化通知を受け取り表示する表示手段と、
を備えることを特徴とする交通機関運用情報配信システム。
【請求項２】
それぞれネットワークを介して接続されている利用者が用いる端末と、公共機関管理装置と、情報配信装置を利用した交通機関運用情報配信方法であって、
前記公共機関管理装置が、登録削除要求手段によって前記端末に対して交通機関の運行情報を公開すべく、前記ネットワークを介して前記情報配信装置に対して前記交通機関の識別情報と現在の運行情報の登録および／または削除要求を発行するステップを有し、
前記情報配信装置が、前記交通機関をプレゼンティティとしてプレゼンス情報と対応付けてプレゼンスリストとしてデータベースに登録するステップを有し、
前記端末が、プレゼンスリスト取得手段によって前記ネットワークを介して前記情報配信装置にアクセスし、前記プレゼンスリストを取得するステップと、
ウォッチャリスト登録手段によって取得した前記プレゼンスリストから、利用者が運行情報の変化を知りたい前記所望の交通機関を選択し、前記ネットワークを介して前記情報配信装置に対してモニタ登録要求を発行するステップと、
識別子送信手段によって前記端末の識別子を前記情報配信装置に対して送信するステップと、を有し、
前記情報配信装置が、ウォッチャ登録手段によって前記端末から登録要求を受けた所望の交通機関に対応するプレゼンティティのウォッチャとして前記端末を前記データベースに登録するステップと、
前記情報配信装置が、ウォッチャとしての前記端末の識別子を該当する前記交通機関と結び付けて前記データベースに登録するステップをさらに有し、
前記公共機関管理装置が、プレゼンス更新通知手段によって変化した運行情報を前記情報配信装置に通知するステップをさらに有し、
前記情報配信装置が、更新手段によって前記変化した運行情報に基づいて前記データベースの前記プレゼンティティと対応付けて登録されている前記プレゼンス情報を更新するステップと、
変化通知手段によって変化した運行情報に基づいてウォッチャとして登録されている前記端末の識別子に対して、プレゼンティティの変化を通知するステップと、をさらに有し、
前記端末が、表示手段によって前記プレゼンティティの変化通知を受け取り表示するステップをさらに有することを特徴とする交通機関運用情報配信方法。
【請求項３】
交通機関の運行情報を公開すべく、ネットワークを介して情報配信装置に対して前記交通機関の識別情報と現在の運行情報の登録および／または削除要求を発行する登録削除要求手段と、
変化した運行情報を前記情報配信装置に通知するプレゼンス更新通知手段と、
を備えることを特徴とする公共機関管理装置。
【請求項４】
交通機関をプレゼンティティとしてプレゼンス情報と対応付けてプレゼンスリストとして登録し、ウォッチャとしての端末の識別子を該当する前記交通機関と結び付けて登録するデータベースと、
前記端末から登録要求を受けた所望の交通機関に対応するプレゼンティティのウォッチャとして前記端末を前記データベースに登録するウォッチャ登録手段と、
変化した運行情報に基づいて前記データベースの前記プレゼンティティと対応付けて登録されている前記プレゼンス情報を更新する更新手段と、
変化した運行情報に基づいてウォッチャとして登録されている前記端末の識別子に対して、プレゼンティティの変化を通知する変化通知手段と、
を備えることを特徴とする情報配信装置。
【請求項５】
ネットワークを介して情報配信装置にアクセスし、プレゼンスリストを取得するプレゼンスリスト取得手段と、
取得した前記プレゼンスリストから、利用者が運行情報の変化を知りたい所望の交通機関を選択し、前記ネットワークを介して前記情報配信装置に対してモニタ登録要求を発行するウォッチャリスト登録手段と、
端末の識別子を前記情報配信装置に対して送信する識別子送信手段と、
前記プレゼンティティの変化通知を受け取り表示する表示手段と、
を備えることを特徴とする端末。
【請求項６】
公共機関管理装置が、登録削除要求手段によって端末に対して交通機関の運行情報を公開すべく、ネットワークを介して情報配信装置に対して前記交通機関の識別情報と現在の運行情報の登録および／または削除要求を発行するステップを実行し、
前記情報配信装置が、前記交通機関をプレゼンティティとしてプレゼンス情報と対応付けてプレゼンスリストとしてデータベースに登録するステップを実行し、
前記端末が、プレゼンスリスト取得手段によって前記ネットワークを介して前記情報配信装置にアクセスし、前記プレゼンスリストを取得するステップと、
ウォッチャリスト登録手段によって取得した前記プレゼンスリストから、利用者が運行情報の変化を知りたい前記所望の交通機関を選択し、前記ネットワークを介して前記情報配信装置に対してモニタ登録要求を発行するステップと、
識別子送信手段によって前記端末の識別子を前記情報配信装置に対して送信するステップと、を実行し、
前記情報配信装置が、ウォッチャ登録手段によって前記端末から登録要求を受けた所望の交通機関に対応するプレゼンティティのウォッチャとして前記端末を前記データベースに登録するステップと、
前記情報配信装置が、ウォッチャとしての前記端末の識別子を該当する前記交通機関と結び付けて前記データベースに登録するステップをさらに実行し、
前記公共機関管理装置が、プレゼンス更新通知手段によって変化した運行情報を前記情報配信装置に通知するステップをさらに実行し、
前記情報配信装置が、更新手段によって前記変化した運行情報に基づいて前記データベースの前記プレゼンティティと対応付けて登録されている前記プレゼンス情報を更新するステップと、
変化通知手段によって変化した運行情報に基づいてウォッチャとして登録されている前記端末の識別子に対して、プレゼンティティの変化を通知するステップと、をさらに実行し、
前記端末が、表示手段によって前記プレゼンティティの変化通知を受け取り表示するステップをさらに実行することを特徴とするプログラム。
【発明の詳細な説明】
【技術分野】
【０００１】
本発明は、航空、鉄道、道路等の交通機関に関する運用状況の情報を、利用者に対してリアルタイムに配信する交通機関運用情報配信システム、その方法、公共機関管理装置、情報配信装置、端末およびプログラムに関する。
【背景技術】
【０００２】
従来、航空や鉄道、道路といった公共機関の運行状況や運用状況の情報は、各々を経営・管轄する機関がそれぞれ個別に、テレビ、ラジオ等の放送メディアや、電話やインターネット等の通信メディアで提供している。
【０００３】
これらの情報は、道路状況は日本道路情報交通センター、鉄道は各鉄道事業者、航空は航空会社や空港、といったように情報提供窓口が異なり、情報提供手段も個々に異なっている。
【０００４】
ここで、全国の高速道路や有料道路および一般主要道路に予め固有の道路コードを付与しておき、交通情報を入手したい道路の道路コードを起点から事前または運転途中にセンターに登録することによって、道路における渋滞情報や事故情報等の各種交通情報をカーナビゲーションや携帯電話にリアルタイムに送信する技術が提案されている（例えば、特許文献１参照）。
【特許文献１】特開２００３−１０９１７９号公報
【発明の開示】
【発明が解決しようとする課題】
【０００５】
しかしながら、上述した従来例においては次のような問題点があった。
【０００６】
航空や鉄道、道路といった公共機関の運行状況や運用状況の情報は、道路状況は日本道路情報交通センター、鉄道は各鉄道事業者、航空は航空会社や空港、といったように情報提供窓口が異なり、情報提供手段も個々に異なっているため、利用者は、情報提供窓口や情報提供手段を調べ、自分自身でアクセスし、必要な情報を入手しなければならない。
【０００７】
さらに、運行状況や運用状況は不定期・非同期に変化するため、そのような変化情報をリアルタイムに知るためには、利用者は状況に変化が生じているかいないかを知るために、利用者から定期的にポーリング等によって頻繁にアクセスして電子メール等で情報を取得する必要があり、これらの利用環境は、利便性を著しく損ない、利用者に大きな負担をかけているという問題点があった。
【０００８】
そこで、本発明は、プレゼンスサービスを用いることにより利便性を確保することができる交通機関運用情報配信システム、その方法、公共機関管理装置、情報配信装置、端末およびプログラムを提供することを目的とする。
【課題を解決するための手段】
【０００９】
請求項１記載の発明は、利用者が用いる端末と、公共機関管理装置と、情報配信装置とがそれぞれネットワークを介して接続されている交通機関運用情報配信システムであって、公共機関管理装置は、端末に対して交通機関の運行情報を公開すべく、ネットワークを介して情報配信装置に対して交通機関の識別情報と現在の運行情報の登録および／または削除要求を発行する登録削除要求手段と、変化した運行情報を情報配信装置に通知するプレゼンス更新通知手段とを備え、情報配信装置は、交通機関をプレゼンティティとしてプレゼンス情報と対応付けてプレゼンスリストとして登録し、ウォッチャとしての端末の識別子を該当する交通機関と結び付けて登録するデータベースと、端末から登録要求を受けた所望の交通機関に対応するプレゼンティティのウォッチャとして端末をデータベースに登録するウォッチャ登録手段と、変化した運行情報に基づいてデータベースのプレゼンティティと対応付けて登録されているプレゼンス情報を更新する更新手段と、変化した運行情報に基づいてウォッチャとして登録されている端末の識別子に対して、プレゼンティティの変化を通知する変化通知手段とを備え、端末は、ネットワークを介して情報配信装置にアクセスし、プレゼンスリストを取得するプレゼンスリスト取得手段と、取得したプレゼンスリストから、利用者が運行情報の変化を知りたい所望の交通機関を選択し、ネットワークを介して情報配信装置に対してモニタ登録要求を発行するウォッチャリスト登録手段と、端末の識別子を情報配信装置に対して送信する識別子送信手段と、プレゼンティティの変化通知を受け取り表示する表示手段とを備えることを特徴とする交通機関運用情報配信システムである。
【００１０】
請求項２記載の発明は、それぞれネットワークを介して接続されている利用者が用いる端末と、公共機関管理装置と、情報配信装置を利用した交通機関運用情報配信方法であって、公共機関管理装置が、登録削除要求手段によって端末に対して交通機関の運行情報を公開すべく、ネットワークを介して情報配信装置に対して交通機関の識別情報と現在の運行情報の登録および／または削除要求を発行するステップを有し、情報配信装置が、交通機関をプレゼンティティとしてプレゼンス情報と対応付けてプレゼンスリストとしてデータベースに登録するステップを有し、端末が、プレゼンスリスト取得手段によってネットワークを介して情報配信装置にアクセスし、プレゼンスリストを取得するステップと、ウォッチャリスト登録手段によって取得したプレゼンスリストから、利用者が運行情報の変化を知りたい所望の交通機関を選択し、ネットワークを介して情報配信装置に対してモニタ登録要求を発行するステップと、識別子送信手段によって端末の識別子を情報配信装置に対して送信するステップとを有し、情報配信装置が、ウォッチャ登録手段によって端末から登録要求を受けた所望の交通機関に対応するプレゼンティティのウォッチャとして端末をデータベースに登録するステップと、情報配信装置が、ウォッチャとしての端末の識別子を該当する交通機関と結び付けてデータベースに登録するステップをさらに有し、公共機関管理装置が、プレゼンス更新通知手段によって変化した運行情報を情報配信装置に通知するステップをさらに有し、情報配信装置が、更新手段によって変化した運行情報に基づいてデータベースのプレゼンティティと対応付けて登録されているプレゼンス情報を更新するステップと、変化通知手段によって変化した運行情報に基づいてウォッチャとして登録されている端末の識別子に対して、プレゼンティティの変化を通知するステップとをさらに有し、端末が、表示手段によってプレゼンティティの変化通知を受け取り表示するステップをさらに有することを特徴とする交通機関運用情報配信方法である。
【００１１】
請求項３記載の発明は、交通機関の運行情報を公開すべく、ネットワークを介して情報配信装置に対して交通機関の識別情報と現在の運行情報の登録および／または削除要求を発行する登録削除要求手段と、変化した運行情報を情報配信装置に通知するプレゼンス更新通知手段とを備えることを特徴とする公共機関管理装置である。
【００１２】
請求項４記載の発明は、交通機関をプレゼンティティとしてプレゼンス情報と対応付けてプレゼンスリストとして登録し、ウォッチャとしての端末の識別子を該当する交通機関と結び付けて登録するデータベースと、端末から登録要求を受けた所望の交通機関に対応するプレゼンティティのウォッチャとして端末をデータベースに登録するウォッチャ登録手段と、変化した運行情報に基づいてデータベースのプレゼンティティと対応付けて登録されているプレゼンス情報を更新する更新手段と、変化した運行情報に基づいてウォッチャとして登録されている端末の識別子に対して、プレゼンティティの変化を通知する変化通知手段とを備えることを特徴とする情報配信装置である。
【００１３】
請求項５記載の発明は、ネットワークを介して情報配信装置にアクセスし、プレゼンスリストを取得するプレゼンスリスト取得手段と、取得したプレゼンスリストから、利用者が運行情報の変化を知りたい所望の交通機関を選択し、ネットワークを介して情報配信装置に対してモニタ登録要求を発行するウォッチャリスト登録手段と、端末の識別子を情報配信装置に対して送信する識別子送信手段と、プレゼンティティの変化通知を受け取り表示する表示手段とを備えることを特徴とする端末である。
【００１４】
請求項６記載の発明は、公共機関管理装置が、登録削除要求手段によって端末に対して交通機関の運行情報を公開すべく、ネットワークを介して情報配信装置に対して交通機関の識別情報と現在の運行情報の登録および／または削除要求を発行するステップを実行し、情報配信装置が、交通機関をプレゼンティティとしてプレゼンス情報と対応付けてプレゼンスリストとしてデータベースに登録するステップを実行し、端末が、プレゼンスリスト取得手段によってネットワークを介して情報配信装置にアクセスし、プレゼンスリストを取得するステップと、ウォッチャリスト登録手段によって取得したプレゼンスリストから、利用者が運行情報の変化を知りたい所望の交通機関を選択し、ネットワークを介して情報配信装置に対してモニタ登録要求を発行するステップと、識別子送信手段によって端末の識別子を情報配信装置に対して送信するステップとを実行し、情報配信装置が、ウォッチャ登録手段によって端末から登録要求を受けた所望の交通機関に対応するプレゼンティティのウォッチャとして端末をデータベースに登録するステップと、情報配信装置が、ウォッチャとしての端末の識別子を該当する交通機関と結び付けてデータベースに登録するステップをさらに実行し、公共機関管理装置が、プレゼンス更新通知手段によって変化した運行情報を情報配信装置に通知するステップをさらに実行し、情報配信装置が、更新手段によって変化した運行情報に基づいてデータベースのプレゼンティティと対応付けて登録されているプレゼンス情報を更新するステップと、変化通知手段によって変化した運行情報に基づいてウォッチャとして登録されている端末の識別子に対して、プレゼンティティの変化を通知するステップとをさらに実行し、端末が、表示手段によってプレゼンティティの変化通知を受け取り表示するステップをさらに実行することを特徴とするプログラムである。
【発明の効果】
【００１５】
本発明の交通機関運用情報配信システム、その方法、公共機関管理装置、情報配信装置、端末およびプログラムによれば、プレゼンスサービスを用いた利便性を確保することができる。
【発明を実施するための最良の形態】
【００１６】
次に、本発明の一実施の形態の構成について図面を参照して説明する。
【００１７】
図１を参照すると、本実施の形態における交通機関運用情報配信システムは、各種公共機関の運行状況を一元化して利用者に提供するポータルサーバ１００と、公共機関の運行情報を管理する公共機関管理装置１０１Ａ〜ｃと、利用者端末１０２から構成されており、ポータルサーバ１００と公共機関管理装置１０１Ａ〜ｃがネットワーク１０３を介して接続されており、ポータルサーバ１００と利用者端末１０２がネットワーク１０４を介して接続されている。なお、ネットワーク１０３およびネットワーク１０４は、任意のネットワークであってよく、例えば、光ファイバ、インターネット、公衆回線、ＬＡＮ（LocＡl ＡreＡ Network）、ＡＤＳＬ（Ａsymmetric DigitＡl Subscriber Line）等である。なお、通信方法は、有線であっても、無線であってもよい。さらに、ネットワーク１０３およびネットワーク１０４は同一のネットワークであってもよい。
【００１８】
なお、本実施の形態では、プレゼンスサービスを使用して交通機関運用情報配信システム実現する。ここで、プレゼンスサービスとは、ある利用者が、自社／会議中／外出中／オフラインといった、利用者自身の現在の状態であるプレゼンス情報を他の利用者にリアルタイムに通知あるいは公開するサービスをいう。
【００１９】
そして、自身のプレゼンス情報を通知あるいは公開する側をプレゼンティティ（Presentity）と称し、プレゼンティティのプレゼンス情報の通知を受ける側をウォッチャ（WＡtcher）と称する。プレゼンティティは、自社から外出中のように自身の状態が変化した時、ウォッチャに変化したことを知らせるためにプレゼンス更新通知を発行する。ウォッチャはプレゼンス更新通知を受信することでプレゼンティティの状態が変化したことを知る。
【００２０】
また、プレゼンスサービスの「プレゼンス情報」とは、機器の状態あるいは機器のユーザの状態を表す情報であり、例えば、機器がネットワークに接続されているか否かを表す「オンライン」および「オフライン」や、通信機器のユーザが直ちに応答できるか否かを表す「応答可」および「応答不可」等の情報である。用語の意味に疑義が生じた場合には、基本的にＩＥＴＦ(Internet Engineering TＡsk Force)が公開しているＲＦＣ２７７８：「Ａ  Ｍｏｄｅｌ  ｆｏｒＰｒｅｓｅｎｃｅ  Ａｎｄ  ＩｎｓｔＡｎｔ  ＭｅｓｓＡｇｉｎｇ」で定義されている意味に従うが、それに限定されるものではない。
【００２１】
ポータルサーバ１００は、各種公共機関の運行状況を一元化して利用者に提供する、例えば、ワークステーション等の情報処理装置である。また、公共機関管理装置１０１Ａ〜ｃより登録されたエンティティをプレゼンティティとして登録したり、利用者端末１０２から利用者を、登録エンティティに対応するプレゼンティティのウォッチャとして登録するデータベース１００１を備えている。さらに、公共機関管理装置１０１Ａ〜ｃよりプレゼンス更新通知を受けたときに、通知されたエンティティに相当するプレゼンティティのデータベース上の情報を更新し、当該プレゼンティティのウォッチャに登録されている利用者の利用者端末１０２に対して運行情報変化を通知（プレゼンス更新通知）する機能を有している。
【００２２】
公共機関管理装置１０１Ａ〜ｃは、公共機関の運行情報を管理する情報処理装置であり、例えば、パーソナルコンピュータ等である。利用者に対して運行情報を提供あるいは公開する対象、例えば、鉄道であれば路線名、航空であれば航空便番号、道路であれば道路名等を決定する機能を有している。また、決定した対象であるエンティティおよびその運行情報をポータルサーバに登録する機能を有している。さらに、ポータルサーバ１００に登録したエンティティの運行状況に変化が生じた場合、ポータルサーバ１００に対して変化した運行情報を通知（プレゼンス更新通知）する機能を有している。
【００２３】
利用者端末１０２は、利用者がプレゼンス情報を取得するために使用する情報処理装置である。例えば、パーソナルコンピュータ、携帯電話機、ＰＤＡ（PersonＡl DigitＡl ＡssistＡnt）等である。また、ポータルサーバ１００にアクセスし、ポータルサーバ１００上に運行情報が提供されているエンティティから、モニタしたい対象を選択して、モニタ登録する機能を有している。
【００２４】
次に、図２〜図８を参照して、本実施の形態における、航空便の運行情報を配信する処理のフローを図３のシーケンスに基づいて詳細に説明する。
【００２５】
まず、図２を参照すると、前提として公共機関管理装置１０１としてＡ社クライアントが用いられ、また、公共機関は、航空会社Ａ社であるとする。
【００２６】
Ａ社クライアント２０１は、利用者の利用者端末１０２に対して航空便の運行情報を公開すべく、ネットワーク１０３を介してポータルサーバ１００に対して航空便のＳＩＰＵＲＩと現在の運行情報の登録要求を発行する（ステップＳ３０１）。これにより、プレゼンティティ登録がなされる。
【００２７】
ここで、ＳＩＰＵＲＩとは、各航空便毎の識別子となるものをいい、ポータルサーバ１００との間で航空機の運行情報をやり取りするために用いられ、例えば、図４に示すように規定される。
【００２８】
Ａ社クライアント２０１から登録要求を受けたポータルサーバ１００は、航空便をプレゼンティティとして、内部のデータベース１００１に登録することによりプレゼンスリストを作成する（ステップＳ３０２）。この時点におけるデータベース１００１の所定のテーブルに格納されているデータは、例えば図５に示すように、プレゼンティティＳＩＰＵＲＩとプレゼンス情報としての出発時刻および到着時刻が格納されている。
【００２９】
一方、利用者端末１０２の利用者は、携帯電話機等の利用者端末１０２に搭載されたクライアントからネットワーク１０４を介してポータルサーバ１００にアクセスし、公開されている航空便のリスト（プレゼンスリスト）を取得する（ステップＳ３０３）。
【００３０】
利用者は、利用者端末１０２によって取得したプレゼンスリストから、運行情報をモニタしたい航空便である、例えば、航空便９７３便（出発：１３：００、到着：１４：００）を選択し、ネットワーク１０４を介してポータルサーバ１００に対してモニタ登録要求を発行（ウォッチャリスト登録）する（ステップＳ３０４）。
【００３１】
この際、利用者端末１０２のクライアントに割り当てられた識別子となるＳＩＰＵＲＩであるｕｓｅｒ＿ｘ＠ｅｘａｍｐｌｅ．ｃｏ．ｊｐを同時にポータルサーバ１００に渡す。
【００３２】
利用者端末１０２のクライアントから登録要求を受けたポータルサーバ１００は、指定された航空便に対応するプレゼンティティのウォッチャリストに、利用者端末１０２のＳＩＰＵＲＩを登録する（ステップＳ３０５）。この時点のポータルサーバ１００のデータベース１００１の所定のテーブルに格納されているデータは、例えば図６に示すように、プレゼンティティＳＩＰＵＲＩとプレゼンス情報としての出発時刻および到着時刻とウォッチャＳＩＰＵＲＩが格納されている。
【００３３】
また、利用者は、利用者端末１０２のクライアントの画面実装図は、例えば、図７に示すようなものであってもよい。
【００３４】
そして、Ａ社クライアント２０１は、運行情報を公開している航空便９７３便の運行状況が「出発３０分遅れ」に変化した際（ステップＳ３０６）、９７３便のＳＩＰＵＲＩと、変化した運行情報をネットワーク１０３を介してポータルサーバ１００に通知することによってプレゼンス更新通知を行なう（ステップＳ３０７）。
【００３５】
Ａ社クライアント２０１から９７３便の変化通知を受信したポータルサーバ１００は、データベース１００１上の９７３便に対応するプレゼンティティのステータス情報を「出発：１３：００、到着：１４：００」から「出発：１３：３０、到着：１４：３０」に更新すると同時に、９７３便のウォッチャとして登録されている利用者端末１０２のクライアントに割り当てられた識別子となるＳＩＰＵＲＩであるｕｓｅｒ＿ｘ＠ｅｘａｍｐｌｅ．ｃｏ．ｊｐに対して、プレゼンティティの変化通知を送信することによってプレゼンス更新通知を行なう（ステップＳ３０８）。
【００３６】
ポータルサーバ１００から９７３便のプレゼンス更新通知を受信した利用者端末１０２は、変化したステータス情報を所定の表示部である画面上に表示させ、画面を見た利用者は、９７３便の出発が３０分遅れになったことを確認する。
【００３７】
ここで、利用者は、プレゼンス更新通知受信時の利用者端末１０２のクライアントの画面実装図は、例えば、図８に示すようなものであってもよい。
【００３８】
利用者は、モニタする必要が無くなると、利用者端末１０２のクライアントからネットワーク１０４を介してポータルサーバ１００にアクセスし、９７３便のモニタ登録削除要求を発行することによってウォッチャリスト削除を行なう（ステップＳ３０９）。
【００３９】
利用者端末１０２のクライアントから９７３便のウォッチャリスト登録削除要求を受信したポータルサーバ１００は、自身のデータベース１００１上の９７３便のウォッチャリストから利用者端末１０２のＳＩＰＵＲＩを削除する（ステップＳ３１０）。
【００４０】
これ以降、９７３便の運行状況が変化しても（ステップＳ３１１）、変化通知は利用者端末１０２のクライアントへは送信されない。
【００４１】
上記の実施の形態によれば、ポータルサーバ１００を設けることで、利用者は一律してポータルサーバ１００にアクセスすればよく、さらに、ポータルサーバ１００が持つ情報から利用者が必要なものを選択することが可能である。また、運行状況変化時は、変化した情報をリアルタイムにポータルサーバ１００側から利用者に対して通知されるため、利用者側から定期的にポーリングする必要がないため、利便性が向上する。
【００４２】
なお、上述した各実施の形態は、本発明の好適な実施の形態であり、本発明の要旨を逸脱しない範囲内において種々変更実施が可能である。例えば、上記の実施の形態におけるポータルサーバ１００、利用者端末１０２、Ａ社クライアント２０１の機能を実現するためのプログラムを各装置に読込ませて実行することにより本システムの機能を実現する処理を行ってもよい。さらに、そのプログラムは、コンピュータ読み取り可能な記録媒体であるＣＤ−ＲＯＭ、光磁気ディスク等を介して、または伝送媒体であるインターネット、電話回線等を介して伝送波により他のコンピュータシステムに伝送されてもよい。
【００４３】
上述した各実施の形態は、ポータルサーバ１００が１個の装置として接続されているシステム構成について説明したが、各機能毎に複数のサーバ装置等が追加された構成にも適用可能であることはもちろんである。
【図面の簡単な説明】
【００４４】
【図１】本発明の実施形態における交通機関運用情報配信システムの概略構成を示す図である。
【図２】公共機関が航空会社Ａ社である交通機関運用情報配信システムの概略構成を示す図である。
【図３】航空便の運行情報を配信する処理動作を示すシーケンス図である。
【図４】各航空便毎の識別子の一例を示す図である。
【図５】データベースの所定のテーブルに格納されているデータ構造の一例を示す図である。
【図６】データベースの所定のテーブルに格納されているデータ構造の一例を示す図である。
【図７】利用者端末のクライアントの画面実装図の一例を示す図である。
【図８】利用者端末のクライアントの画面実装図の一例を示す図である。
【符号の説明】
【００４５】
１００    ポータルサーバ
１０１ａ〜ｃ    公共機関管理装置
１０２    利用者端末
１０３、１０４    ネットワーク
１００１    データベース
【図１】
2006131026.tif 000003
【図２】
2006131026.tif 000004
【図３】
2006131026.tif 000005
【図４】
2006131026.tif 000006
【図５】
2006131026.tif 000007
【図６】
2006131026.tif 000008
【図７】
2006131026.tif 000009
【図８】
2006131026.tif 000010